(57)【要約】【課題】  案内地図上の表示物に係る情報を、携帯端末により、迅速且つ容易に取得することができるようにした情報提供システムを提供する。【解決手段】  道案内するための案内地図２上に付設されるＱＲコード３と、ＱＲコード３を読み取り自在の携帯端末４と、携帯端末４とインターネット５を介して接続自在であり、ＱＲコード３に含まれるＷｅｂページアクセス情報に基づき、携帯端末４からアクセスがあると、携帯端末４に情報を配信するサーバ６とから成る情報提供システム１であって、携帯端末４は、ＱＲコード３を読み取る読取手段と、読み取ったＱＲコード３に基づき、サーバ６にＷｅｂページアクセス情報を送信する送信手段と、サーバ６からＷｅｂページ情報を受信する受信手段と、受信したＷｅｂページ情報をＷｅｂページとして表示する表示手段等を備えている。【選択図】  図１
2006268815.tif 000002
【特許請求の範囲】
【請求項１】
道案内するための案内地図上に付設されるＱＲコードと、該ＱＲコードを読み取り自在の携帯端末と、該携帯端末とインターネットを介して接続自在であり、該ＱＲコードに含まれるＷｅｂページアクセス情報に基づき、該携帯端末からアクセスがあると、該携帯端末に情報を配信するサーバとから成る情報提供システムであって、
前記携帯端末は、該ＱＲコードを読み取る読取手段と、読み取ったＱＲコードに基づき、サーバにＷｅｂページアクセス情報を送信する送信手段と、サーバからＷｅｂページ情報を受信する受信手段と、受信したＷｅｂページ情報をＷｅｂページとして表示する表示手段と、該Ｗｅｂページ内に表示された所定のリンク付き情報が選択された時、該情報にリンクされたＷｅｂページアクセス情報に基づき、サーバにＷｅｂページアクセス情報を送信する送信手段とを備え、
前記サーバは、前記携帯端末からのＷｅｂページアクセス情報を受信する受信手段と、該Ｗｅｂページアクセス情報に基づき、データベース内のＷｅｂページ情報を検索する検索手段と、前記携帯端末に検索したＷｅｂページ情報を送信する送信手段とを備えたことを特徴とする情報提供システム。
【請求項２】
上記ＱＲコードは、紙片に印刷され、該紙片が案内地図上に貼着されて成ることを特徴とする請求項１記載の情報提供システム。
【請求項３】
上記サーバは、ＷＷＷサーバと、該ＷＷＷサーバに接続されたデータベースサーバとから成り、
該ＷＷＷサーバは、前記携帯端末からのＷｅｂページアクセス情報を受信する受信手段と、該Ｗｅｂページアクセス情報に基づき、前記データベースサーバに検索要求する検索要求手段と、該データベースサーバから検索した情報を受信する受信手段と、受信した情報をＷｅｂページ情報として編集する編集手段と、編集したＷｅｂページ情報を上記携帯端末に送信する送信手段とを備え、
前記データベースサーバは、前記ＷＷＷサーバからの検索要求を受信する受信手段と、検索要求に応じてデータベースを検索する検索手段と、検索した情報を該ＷＷＷサーバに送信する送信手段とを備えて成ることを特徴とする請求項１又は２のいずれかに記載の情報提供システム。
【発明の詳細な説明】
【技術分野】
【０００１】
本発明は、案内地図上の表示物にＱＲコードを付設し、ＱＲコードを読み取った携帯端末からサーバにアクセスがあると、サーバから表示物に係る情報を携帯端末に配信するようにした情報提供システムに関する。
【背景技術】
【０００２】
ＱＲコードは、小さな正方形の点を縦横同じ数だけ並べたマトリックス型２次元コードであり、一辺に２１個並べた「バージョン１」から、１７７個並べた「バージョン４０」まで、４０通りの仕様が用意されている。点の数が多いほうがたくさんの情報を記録できるが、必要な面積は大きくなっていく。コードの３つの角には「回」の字型の「切り出しシンボル」（ファインダパターン）が配置されており、３６０度どの向きから読み取っても正確に情報が読み出せるようになっている。
【０００３】
ＱＲコードに記録できる情報量は、バージョン４０の場合で最大２３，６４８ビットである。独自の文字コードを使っているため、カナや漢字なら１，８１７文字、アルファベットと数字だけなら４，２９６文字、数字だけなら７，０８９文字まで記録できる。データには冗長性を持たせてあり、一部が汚損して読み取れなくてもデータを復元することができる。
【０００４】
前記ＱＲコードは、バーコード等に比較して、前述したように大量の情報を格納することができるため、最近急速にその利用が増大しており、又、その利用範囲も拡大している。
【０００５】
又、例えば、特許文献１にもＱＲコードを用いた情報提供システムが記載されている。特許文献１は、インターネットを介して依頼されたＱＲコード情報の発行がコード発行サーバシステムにより行われ、発行されたＱＲコード情報がインターネットを介して広告主サーバシステムに受取られると共に管理され、更に、携帯電話により、このＱＲコード情報が撮影され、ＱＲコード情報に含まれるｗｅｂアドレスを用いてインターネットを介しｗｅｂページへのアクセスが行われると、広告主サーバシステムにより、携帯電話からのアクセスに応じて携帯電話へ情報が提供されるものである。
【０００６】
又、例えば、特許文献２には、顧客が提示する情報をＱＲコードに変換するサービスをネットワークを通じて行なう情報変換サービス方法が記載されている。
【特許文献１】特開２００４−１４０８２３号公報
【特許文献２】特開２００２−１０９０４１号公報
【発明の開示】
【発明が解決しようとする課題】
【０００７】
前述したように、ＱＲコードは、種々に利用され、その利用範囲も拡大しているが、例えば、ＱＲコードを地図と組み合わせることによって、新たな利用が可能となる。
【０００８】
例えば、従来、駅周辺や、商店街等に案内地図が設置されており、道案内のために役立っている。
【０００９】
然しながら、案内地図が比較的大きなものであっても、案内地図上に、例えば商店や、会社等の情報を表示することは困難であり、表示できたとしてもその表示はスペース的に限定されたものとなる。
【００１０】
そこで、案内地図上の表示物に関する必要な情報をその場に於いて、直ちに提供することができれば、利用者の利便性が飛躍的に高まることになり、従来から、そのような利便性が望まれていた。
【００１１】
そして、最近、広く普及している携帯電話等の携帯端末にその情報が提供されれば、利便性は更に高くなる。
【００１２】
然しながら、従来、案内地図上の表示物に関する必要な情報をその場に於いて、直ちに携帯端末によって得る技術は知られておらず、又、前述した、特許文献１及び２に於いても、このような技術は記載されていない。
【００１３】
以上の現状に鑑み、本発明は、案内地図上の表示物に係る情報を、携帯端末により、迅速且つ容易に取得することができるようにした情報提供システムを提供することを目的とする。
【課題を解決するための手段】
【００１４】
上記の課題を解決すべく、本発明は以下の構成を提供する。
請求項１に係る発明は、道案内するための案内地図上に付設されるＱＲコードと、該ＱＲコードを読み取り自在の携帯端末と、該携帯端末とインターネットを介して接続自在であり、該ＱＲコードに含まれるＷｅｂページアクセス情報に基づき、該携帯端末からアクセスがあると、該携帯端末に情報を配信するサーバとから成る情報提供システムであって、
前記携帯端末は、該ＱＲコードを読み取る読取手段と、読み取ったＱＲコードに基づき、サーバにＷｅｂページアクセス情報を送信する送信手段と、サーバからＷｅｂページ情報を受信する受信手段と、受信したＷｅｂページ情報をＷｅｂページとして表示する表示手段と、該Ｗｅｂページ内に表示された所定のリンク付き情報が選択された時、該情報にリンクされたＷｅｂページアクセス情報に基づき、サーバにＷｅｂページアクセス情報を送信する送信手段とを備え、
前記サーバは、前記携帯端末からのＷｅｂページアクセス情報を受信する受信手段と、該Ｗｅｂページアクセス情報に基づき、データベース内のＷｅｂページ情報を検索する検索手段と、前記携帯端末に検索したＷｅｂページ情報を送信する送信手段とを備えたことを特徴とする情報提供システムを提供するものである。
【００１５】
請求項２に係る発明は、上記ＱＲコードは、紙片に印刷され、該紙片が案内地図上に貼着されて成ることを特徴とする請求項１記載の情報提供システムを提供するものである。
【００１６】
請求項３に係る発明は、上記サーバは、ＷＷＷサーバと、該ＷＷＷサーバに接続されたデータベースサーバとから成り、
該ＷＷＷサーバは、前記携帯端末からのＷｅｂページアクセス情報を受信する受信手段と、該Ｗｅｂページアクセス情報に基づき、前記データベースサーバに検索要求する検索要求手段と、該データベースサーバから検索した情報を受信する受信手段と、受信した情報をＷｅｂページ情報として編集する編集手段と、編集したＷｅｂページ情報を上記携帯端末に送信する送信手段とを備え、
前記データベースサーバは、前記ＷＷＷサーバからの検索要求を受信する受信手段と、検索要求に応じてデータベースを検索する検索手段と、検索した情報を該ＷＷＷサーバに送信する送信手段とを備えて成ることを特徴とする請求項１又は２のいずれかに記載の情報提供システムを提供するものである。
【発明の効果】
【００１７】
本発明の請求項１記載の発明によれば、道案内するための案内地図上に付設されるＱＲコードと、該ＱＲコードを読み取り自在の携帯端末と、該携帯端末とインターネットを介して接続自在であり、該ＱＲコードに含まれるＷｅｂページアクセス情報に基づき、該携帯端末からアクセスがあると、該携帯端末に情報を配信するサーバとから成る情報提供システムであって、
前記携帯端末は、該ＱＲコードを読み取る読取手段と、読み取ったＱＲコードに基づき、サーバにＷｅｂページアクセス情報を送信する送信手段と、サーバからＷｅｂページ情報を受信する受信手段と、受信したＷｅｂページ情報をＷｅｂページとして表示する表示手段と、該Ｗｅｂページ内に表示された所定のリンク付き情報が選択された時、該情報にリンクされたＷｅｂページアクセス情報に基づき、サーバにＷｅｂページアクセス情報を送信する送信手段とを備え、
前記サーバは、前記携帯端末からのＷｅｂページアクセス情報を受信する受信手段と、該Ｗｅｂページアクセス情報に基づき、データベース内のＷｅｂページ情報を検索する検索手段と、前記携帯端末に検索したＷｅｂページ情報を送信する送信手段とを備えた情報提供システムを提供するので、案内地図上の表示物に係る情報を、ＱＲコードを介し、携帯端末により、迅速且つ容易に取得することができるようにした情報提供システムを得ることができる。
【００１８】
請求項２記載の発明によれば、上記ＱＲコードは、紙片に印刷され、該紙片が案内地図上に貼着されて成るので、請求項１記載の発明の効果に加え、ＱＲコードの付設が容易である。
【００１９】
請求項３記載の発明によれば、上記サーバは、ＷＷＷサーバと、該ＷＷＷサーバに接続されたデータベースサーバとから成り、
該ＷＷＷサーバは、前記携帯端末からのＷｅｂページアクセス情報を受信する受信手段と、該Ｗｅｂページアクセス情報に基づき、前記データベースサーバに検索要求する検索要求手段と、該データベースサーバから検索した情報を受信する受信手段と、受信した情報をＷｅｂページ情報として編集する編集手段と、編集したＷｅｂページ情報を上記携帯端末に送信する送信手段とを備え、
前記データベースサーバは、前記ＷＷＷサーバからの検索要求を受信する受信手段と、検索要求に応じてデータベースを検索する検索手段と、検索した情報を該ＷＷＷサーバに送信する送信手段とを備えて成るので、請求項１又は２のいずれかに記載の発明の効果に加え、大量の情報をデータベースに蓄積できると共に、迅速な情報提供ができる。
【発明を実施するための最良の形態】
【００２０】
以下、実施例を示した図面を参照しつつ本発明の実施の形態を説明する。
図１に於いて、１は本発明の情報提供システムであり、情報提供システム１は、道案内するための案内地図２上に付設されるＱＲコード３，３…と、ＱＲコード３，３…を読み取り自在の携帯電話等の携帯端末４と、携帯端末４とインターネット５を介して接続自在であり、ＱＲコード３に含まれる、例えば、ＵＲＬから成るＷｅｂページアクセス情報（図示せず）に基づき、携帯端末４からアクセスがあると、携帯端末４に情報を配信するサーバ６とから成る情報提供システムである。
【００２１】
尚、説明の都合上、前記案内地図２、及び、携帯端末４は１個として説明したが、実際には多数存在するものである。
【００２２】
又、図に於いて、７は、携帯端末４の基地局であり、８は携帯端末４の携帯電話回線網を運営管理すると共に、Ｗｅｂページ情報等を携帯端末４に表示できるように所定の変換等を行なう携帯電話会社である。携帯端末４がインターネット５を介して情報を送受信する場合は、基地局７及び携帯電話会社８を必ず経由するが、以降、その説明は省略する。
【００２３】
前記ＱＲコード３は、図２に示す如く、小さな正方形の点を縦横同じ数だけ並べたマトリックス型２次元コードであり、コードの３つの角には「回」の字型の「切り出しシンボル」（ファインダパターン）が配置されており、３６０度どの向きから読み取っても正確に情報が読み出せるようになっている。
【００２４】
図３は、前記案内地図２を拡大して示しており、案内地図２上の商店、会社等の表示物１１，１１…近傍にＱＲコード３，３…が印刷された紙片１２，１２…が貼着されて付設されていると共に、案内地図２上の表示物１１，１１…が表示されていない余白スペース等に後述するＱＲコード３（３Ａ）が印刷された紙片１２が貼着されて付設されている。
【００２５】
そして、図４に示す如く、ＱＲコード３内には、Ｗｅｂページアクセス情報１３が含まれている。案内地図２上の商店、会社等の表示物１１，１１…近傍に貼着された紙片１２，１２…に印刷されたＱＲコード３，３…は、その商店、会社等の表示物１１，１１…に関するＷｅｂページ情報にアクセスするためのＷｅｂページアクセス情報１３が含まれ、案内地図２上の表示物１１，１１…が表示されていない余白スペース等に貼着された紙片１２に印刷されたＱＲコード３（３Ａ）には、情報提供システム１のメインのＷｅｂページ情報にアクセスするためのＷｅｂページアクセス情報１３が含まれている。
【００２６】
又、前記携帯端末４は、ＱＲコード３を読み取る読取手段２１と、読み取ったＱＲコード３を表示する表示手段２２と、読み取ったＱＲコード３に基づき、サーバ６にＷｅｂページアクセス情報１３を送信する送信手段２３と、サーバ６からＷｅｂページ情報３３を受信する受信手段２４と、受信したＷｅｂページ情報３３をＷｅｂページとして表示するブラウザ等を含む表示手段２２と、Ｗｅｂページ内に表示された所定のリンク付き情報が選択された時、情報にリンクされたＷｅｂページアクセス情報１３（この場合、ＱＲコード３に含まれるＷｅｂページアクセス情報１３とは異なるＵＲＬとなる）に基づき、サーバ６にＷｅｂページアクセス情報１３を送信する送信手段２３とを備え、更に、公衆携帯電話網に接続できる携帯端末としての一般的な機能を備えている。
【００２７】
又、前記サーバ６は、前記携帯端末４からのＷｅｂページアクセス情報１３を受信するインターネット受信手段３１と、Ｗｅｂページアクセス情報１３に基づき、データベース３２内のＷｅｂページ情報３３を検索する検索手段３４と、検索したＷｅｂページ情報３３を前記携帯端末４に送信するインターネット送信手段３５とを備え、更に、サーバとしての一般的な機能を備えている。
【００２８】
而して、図５に従って、本発明の情報提供システム１の処理の流れを説明すると、前記携帯端末４は、案内地図２上のＱＲコード３を読取手段２１によって読み取ると（Ｓ１）、読み取ったＱＲコード３を表示手段２２によって表示し（Ｓ２）、読み取ったＱＲコード３に含まれるＷｅｂページアクセス情報１３に基づき、送信手段２３によって、サーバ６にＷｅｂページアクセス情報１３を送信する（Ｓ３）。
【００２９】
前記サーバ６は、携帯端末４からのＷｅｂページアクセス情報１３をインターネット受信手段３１によって受信し（Ｓ４）、Ｗｅｂページアクセス情報１３に基づき、検索手段３４によって、データベース３２内のＷｅｂページ情報３３を検索し（Ｓ５）、検索したＷｅｂページ情報３３をインターネット送信手段３５によって前記携帯端末４に送信する（Ｓ６）。尚、検索した情報がＷｅｂページ情報として不完全である場合は、ＣＧＩ等によって完全なＷｅｂページ情報となるように編集するが、ここではその説明は省略する。
【００３０】
そして、前記携帯端末４は、受信手段２４によってサーバ６からＷｅｂページ情報３３を受信すると（Ｓ７）、表示手段２２によって、受信したＷｅｂページ情報をＷｅｂページとして表示する（Ｓ８）。これによって、携帯端末４のユーザは、案内地図２上でＱＲコード３が付設された商店、会社等に関する情報をＷｅｂページで閲覧することができ、又は、情報提供システム１のメインのＷｅｂページ情報を閲覧することができる。
【００３１】
更に、Ｗｅｂページ内に表示された所定のリンク付き情報が選択された時、情報にリンクされたＷｅｂページアクセス情報１３に基づき、送信手段２３によってサーバ６にＷｅｂページアクセス情報１３を送信する（Ｓ９）。
【００３２】
以降、前述のステップＳ４乃至ステップＳ８までの処理が繰り返され、情報にリンクされたＷｅｂページを表示する（Ｓ８）ことができ、この処理は終了となるまで、即ち、携帯ユーザがリンクされた関連のＷｅｂページの閲覧の繰り返し（ネットサーフィン）を終了するまで繰り返される。
【００３３】
尚、例えば、情報提供システム１のメインのＷｅｂページにアクセスするためのＱＲコード３（３Ａ）が携帯端末４に読み込まれて、配信されるＷｅｂページが情報提供システム１のメインのＷｅｂページであった場合、メインのＷｅｂページ、又は、メインのＷｅｂページにリンクするＷｅｂページを、例えば、情報提供システム１の会員である全国の商店、会社等の紹介ページとし、更に、それにリンクするＷｅｂページを、都道府県別の会員である商店、会社等の紹介ページとし、それにリンクするＷｅｂページを、市町村別の会員である商店、会社等の紹介ページとし、それにリンクするＷｅｂページを各会員である商店、会社等の紹介ページとすることも可能である。
【００３４】
斯くして、本発明の情報提供システム１によると、案内地図２上の表示物１１に係る情報をＱＲコード３を介し携帯端末４により迅速且つ容易に取得することができる。
【００３５】
又、前記ＱＲコード３は、紙片１２に印刷され、紙片１２が案内地図２上に表示された表示物１１の近傍に貼着されて成るので、ＱＲコード３の付設が容易である。
【００３６】
図６は、本発明の他の実施例の情報提供システム４１を示し、情報提供システム４１は、前記情報提供システム（図４に於いて１）のサーバ（図４に於いて６）に代えて、他のサーバ４２を用いるものであり、サーバ４２は、ＷＷＷサーバ４３と、ＷＷＷサーバ４３に接続されたデータベースサーバ４４とから構成され、ＷＷＷサーバ４３は、前記携帯端末４からのＷｅｂページアクセス情報１３を受信するインターネット受信手段３１と、Ｗｅｂページアクセス情報１３に基づき、前記データベースサーバ４４に検索要求するＣＧＩ等を含む検索要求手段４５と、データベースサーバ４４から検索した情報を受信する受信手段４６と、受信した情報をＷｅｂページ情報として編集するＣＧＩ等の編集手段４７と、編集したＷｅｂページ情報を前記携帯端末４に送信するインターネット送信手段３５とを備えている。尚、データベースサーバ４４から受信した情報が、完全なＷｅｂページ情報として携帯端末４に送信可能な情報である場合、ＷＷＷサーバ４３は、編集手段４７によって編集することなく、そのまま携帯端末４に送信する。
【００３７】
又、前記データベースサーバ４４は、前記ＷＷＷサーバ４３からの検索要求を受信する受信手段４８と、検索要求に応じてデータベース３２内を検索する検索手段３４と、検索した情報をＷＷＷサーバ４３に送信する送信手段４９とを備えている。
【００３８】
而して、図７に従って、本発明の情報提供システム４１の処理の流れを説明すると、前記携帯端末４は、案内地図２上のＱＲコード３を読取手段２１によって読み取ると（Ｓ１１）、読み取ったＱＲコード３を表示手段２２によって表示し（Ｓ１２）、読み取ったＱＲコード３に含まれるＷｅｂページアクセス情報１３に基づき、送信手段２３によって、サーバ６にＷｅｂページアクセス情報１３を送信する（Ｓ１３）。
【００３９】
前記サーバ４４は、携帯端末４からのＷｅｂページアクセス情報１３をインターネット受信手段３１によって受信し（Ｓ１４）、Ｗｅｂページアクセス情報１３に基づき、検索要求手段４５によって、前記データベースサーバ４４に検索要求する（Ｓ１５）。
【００４０】
前記データベースサーバ４４は、受信手段４８によって前記ＷＷＷサーバ４３からの検索要求を受信し（Ｓ１６）、検索要求に応じて検索手段３４によってデータベース３２内を検索し（Ｓ１７）、検索した情報を送信手段４９によってＷＷＷサーバ４３に送信する（Ｓ１８）。
【００４１】
ＷＷＷサーバ４３は、受信手段４６によってデータベースサーバ４４から検索した情報を受信すると（Ｓ１９）、受信した情報を編集手段４７によってＷｅｂページ情報として編集し（Ｓ２０）、編集したＷｅｂページ情報をインターネット送信手段３５によって前記携帯端末４に送信する（Ｓ２１）。尚、編集が不要な場合は、ステップＳ２０の処理は省略される。
【００４２】
そして、前記携帯端末４は、受信手段２４によってサーバ４４からＷｅｂページ情報（図示せず）を受信すると（Ｓ２２）、表示手段２２によって受信したＷｅｂページ情報をＷｅｂページとして表示する（Ｓ２３）。
【００４３】
更に、Ｗｅｂページ内に表示された所定のリンク付き情報が選択された時、情報にリンクされたＷｅｂページアクセス情報１３に基づき、送信手段２３によってサーバ４４にＷｅｂページアクセス情報１３を送信する（Ｓ２４）。
【００４４】
以降、前述のステップＳ１４乃至ステップＳ２３までの処理が繰り返され、情報にリンクされたＷｅｂページを表示する（Ｓ２３）ことができ、この処理は終了となるまで、即ち、携帯ユーザがリンクされた関連のＷｅｂページの閲覧の繰り返しを終了するまで繰り返される。
【００４５】
前記情報提供システム４１は、前記情報提供システム１の発明の効果に加え、サーバ４２をＷＷＷサーバ４３と、データベースサーバ４４とで構成したことにより、ＷＷＷサーバ４３により、多数の携帯端末４，４…からのアクセスを迅速に処理できると共に、データベースサーバ４４によって、大量のＷｅｂページ情報等をデータベース３２に蓄積でき、且つ、迅速な処理が可能となる。
【図面の簡単な説明】
【００４６】
【図１】本発明による情報提供システムを概略的に示す説明図である。
【図２】ＱＲコードが印刷された紙片の平面図である。
【図３】ＱＲコードが付設された案内図である。
【図４】本発明による情報提供システムの各構成要素の詳細を示す説明図である。
【図５】本発明による情報提供システムの処理の流れを示す説明図である。
【図６】本発明の他の情報提供システムの構成要素の詳細を示す説明図である。
【図７】本発明の他の情報提供システムの処理の流れを示す説明図である。
【符号の説明】
【００４７】
１，４１  情報提供システム
２  案内地図
３，３Ａ  ＱＲコード
４  携帯端末
５  インターネット
６，４２  サーバ
１２  紙片
１３  Ｗｅｂページアクセス情報
２１  読取手段
２２  表示手段
２３，４９  送信手段
２４，４６，４８  受信手段
３２  データベース
３３  Ｗｅｂページ情報
３４  検索手段
４３  ＷＷＷサーバ
４４  データベースサーバ
４５  検索要求手段
４７  編集手段
【図１】
2006268815.tif 000003
【図２】
2006268815.tif 000004
【図３】
2006268815.tif 000005
【図４】
2006268815.tif 000006
【図５】
2006268815.tif 000007
【図６】
2006268815.tif 000008
【図７】
2006268815.tif 000009